(57)【要約】【課題】電池素子の製造において、板状治具を組み合わせて用いて、その治具の挟み込む機能により先巻き工程を削除する。【解決手段】図３において、Ｃ方向へ移動する挟込保持用錐状穴を有する円筒状の回転伝達軸１２及び該軸１２と連結された回転伝達ピン１３は円錐状凸部を有した板状治具３及び板状治具６と受け側固定治具１８とが接触した時点でＣ方向からの押力により戻しバネ１６を縮めながらＣ方向へ移動し、円錐状凸部を有した板状治具３及び板状治具６は戻しバネ１７を縮めながら支持ピン１５に沿ってその円錐形状の効果により矢印Ａ及びＢ方向に移動させ、隙間に存在するセパレーター等絶縁体を挟込み固定可能な捲回装置用挟込捲芯。【選択図】　　図３
2004127860.tif 000002
【特許請求の範囲】
【請求項１】
セパレーター等絶縁体挟込中心部１及び挟込中心部１と連結された突端部２を有する板状治具３と挟込中心部４及び挟込中心部４と連結された突端部５を有する板状治具６をそれぞれ矢印Ａ及びＢ方向に移動させることにより、セパレーター等絶縁材７を挟込中心部１及び４によって挟込固定することが可能な板状治具３及び６を有する捲回装置用挟込捲芯。
【請求項２】
セパレーター等絶縁材７を板状治具３の挟込中心部１及び板状治具６の挟込中心部４の移動により、矢印Ａ及びＢ方向からの固定を行い、セパレーター等絶縁材７の捲付け工程の排除による生産時間の短縮、及び生産時間の短縮による電池素子生産原価の低減を図ることの可能な板状治具３及び６を有する捲回装置用挟込捲芯。
【請求項３】
セパレーター等絶縁材７を板状治具３の挟込中心部１及び板状治具６の挟込中心部４の移動により、矢印Ａ及びＢ方向からの固定を行い、電池素子材料の捲回方向への位置誤差の低減，及びそれに伴う電池素子材料の捲回品質の向上が可能な捲回装置用挟込巻芯。
【請求項４】
電池素子材料捲回後、挟込中心部１及び４をそれぞれ矢印Ｂ及びＡ方向へ移動させることにより隙間８が発生し、セパレーター等絶縁体７の挟込固定が解除され、同時に挟込中心部１と連結されている突端部２及び挟込中心部４と連結されている突端部５がそれぞれ矢印Ａ及びＢ方向へ移動することにより捲回後電池素子材料１１との隙間９及び１０が発生し、容易に板状治具３及び６から捲回後電池素子材料１１を抜き取ることが可能な捲回装置用挟込捲芯。
【発明の詳細な説明】
【０００１】
【産業上の利用分野】
本発明は電池素子材料の捲回装置用挟込巻芯に関するものである。
【０００２】
【従来の技術】
従来、電池素子は図５に示すように電池素子材料を二枚の板状治具２１周辺に捲回していた。二枚の板状治具にはある任意の幅の隙間２２があり、その任意な幅の隙間に対してセパレーター等絶縁体２３を挟込み、電池素子材料を巻付けるため捲き付け先捲きを行いその後セパレーターの切断を行い、素子捲回を行っていた。
【０００３】
このような捲回ではセパレーター等絶縁体及び電池素子材料を捲付けるための捲付け工程が存在しこの工程が生産時間を増加させ電池素子捲回コストを上げる事につながっていた。また、捲き付け初期段階での絶縁体及び電池素子材料の若干の滑りにより電池素子材料の捲回方向への位置誤差を発生させ、結果的にその電池素子材料に施こされたタブ位置にも誤差が見られるという場合が発生し、電池素子巻回品質の低下の原因にもなっていた。更に、電池素子材料捲回後二枚の板状治具２１から捲回後電池素子を取り除く場合においても、容易に捲回後電池素子より板状治具２１を引き抜くことは困難を要した。
【０００４】
【発明が解決しようとする課題】
本願発明の目的は、電池素子の製造において、板状治具を組み合わせて用いて、その治具の挟み込む機能により先巻き工程を削除することによる生産時間の短縮、及びそれに伴う電池生産単価の低減、また、先巻きによる電池素子のタブ位置のずれ低減による電池素子の巻回品質の向上を図ることの可能であり、更に、電池素子材料捲回後二枚の板状治具から捲回後電池素子を取り除く場合においても、容易に捲回後電池素子より板状治具を引き抜くことが可能な電池素子の捲回装置用巻芯を提供することにある。
【０００５】
【課題を解決するための手段】
図３に示すように、Ｃ方向へ移動する挟込保持用円錐状穴を有する円筒状の回転伝達軸１２及び挟込保持用円錐状穴を有する円筒状の回転伝達軸１２と連結された回転伝達ピン１３は円錐状凸部を有した板状治具３及び板状治具６と受け側固定治具１８とが接触した時点でＣ方向からの押力により戻しバネ１６を縮めながらＣ方向へ移動し、円錐状凸部を有した板状治具３及び板状治具６は戻しバネ１７を縮めながら支持ピン１５に沿ってその円錐形状の効果により矢印Ａ及びＢ方向に移動させ、隙間に存在するセパレーター等絶縁体を挟込み固定可能な捲回装置用挟込巻芯を発明するに至った。
【０００６】
このような作動によりセパレーター巻付け工程の削減による生産時間の、それに伴う電池生産原価の低減、また、セパレーターの固定を電池素子巻回工程前に行うことによる電池素子材料の巻回方向への位置誤差の低減，及びそれに伴う電池素子材料の捲回品質の向上を図ることが可能となる。
【０００７】
また、電池素子材料捲回後は円筒状の回転伝達軸１２が矢印Ｄ方向へ移動すると、円筒状の回転伝達軸１２の挟込保持用円錐状穴及び板状治具３及び板状治具６が有する円錐状凸部との勘合が解除され、板状治具３及び板状治具６とが戻しバネ１７によりそれぞれ矢印Ａ及びＢ方向へ移動する。これにより捲回後電池素子材料と板状治具３及び板状治具６とに隙間が発生し容易に捲回後電池素子より板状治具３及び板状治具６を引き抜くことが可能になる。更に、円筒状の回転伝達軸１２が矢印Ｄ方向へ移動すると、円筒状の回転伝達軸１２に連結された回転伝達ピン１３がホルダー１４と接触し、機構部全体をＤ方向へ移動させる。
【０００８】
捲回装置用挟込巻芯の作動について具体的に図面により説明する。
図１は本願発明巻回装置用巻芯の板状治具３及び板状治具６の断面の様子と作動初期の状態を示す図で、セパレーター等絶縁体挟込中心部１及び挟込中心部１と連結された突端部２を有する板状治具３と挟込中心部４及び挟込中心部４と連結された突端部５を有する板状治具６をそれぞれ矢印Ａ及びＢ方向に移動させることにより、セパレーター等絶縁材７を挟込中心部１及び４によって挟込固定し、その後板状治具３及び後板状治具６を回転させ電池素子材料を捲回する。
【０００９】
図２は本願発明巻回装置用巻芯の板状治具３及び板状治具６の断面の様子と電池素子材料捲回後の状態を示す図で、電池素子材料捲回後、挟込中心部１及び４をそれぞれ矢印Ｂ及びＡ方向へ移動させることにより隙間８が発生し、セパレーター等絶縁体７の挟込固定が解除される。また、同時に挟込中心部１と連結されている突端部２及び挟込中心部４と連結されている突端部５がそれぞれ矢印Ａ及びＢ方向へ移動することにより捲回後電池素子材料１１との隙間９及び１０が発生し、容易に板状治具３及び６から捲回後電池素子材料１１を抜き取ることが可能となる。
【００１０】
図３は本願発明巻回装置用巻芯側面の様子と板状治具３及び板状治具６の作動の様子を示す図である。Ｃ方向へ移動する挟込保持用円錐状穴を有する円筒状の回転伝達軸１２及び挟込保持用円錐状穴を有する円筒状の回転伝達軸１２と連結された回転伝達ピン１３は円錐状凸部を有した板状治具３及び板状治具６と受け側固定治具１８とが接触した時点でＣ方向からの押力により戻しバネ１６を縮めながらＣ方向へ移動し、円錐状凸部を有した板状治具３及び板状治具６は戻しバネ１７を縮めながら支持ピン１５に沿ってその円錐形状の効果により矢印Ａ及びＢ方向に移動させ、隙間に存在するセパレーターを挟込み固定する。
【００１１】
また、電池素子材料捲回後は円筒状の回転伝達軸１２が矢印Ｄ方向へ移動すると、円筒状の回転伝達軸１２の挟込保持用円錐状穴及び板状治具３及び板状治具６が有する円錐状凸部との勘合が解除され、板状治具３及び板状治具６とが戻しバネ１７によりそれぞれ矢印Ａ及びＢ方向へ移動する。これにより捲回後電池素子材料と板状治具３及び板状治具６とに隙間が発生し容易に捲回後電池素子より板状治具３及び板状治具６を引き抜くことが可能になる。更に、円筒状の回転伝達軸１２が矢印Ｄ方向へ移動すると、円筒状の回転伝達軸１２に連結された回転伝達ピン１３がホルダー１４と接触し、機構部全体をＤ方向へ移動させる。
【００１２】
なお、図４に示すように本願発明の捲回装置用挟込巻芯は円筒状の回転伝達１５・回転伝達ピン１６・ホルダー１７等を両側に設置し板状治具３または板状治具６を分離してそれぞれの両側のホルダーに設置し、更に各両側ホルダーに凹状の板状治具受け部２０を設置することにより両抜き作動用の捲回装置用挾込巻芯として設置することも可能である。
【図面の簡単な説明】
【図１】本願発明巻回装置用巻芯の板状治具断面の様子と作動初期の状態を示す図である。
【図２】本願発明巻回装置用巻芯の板状治具断面の様子と電池素子材料捲回後の状態を示す図である。
【図３】本願発明捲回装置用巻芯の側面の状態を示す図である。
【図４】本願発明捲回装置用巻芯の両抜き作動の側面を示す図である。
【図５】従来捲芯の断面の様子を示す図である。
【符号の説明】
１　挟込中心部
２　突端部
３　板状治具
４　挟込中心部
５　突端部
６　板状治具
７　セパレーター等絶縁体
８　隙間
９　隙間
１０　隙間
１１　捲回後電池素子材料
１２　円筒状の回転伝達軸
１３　回転伝達ピン
１４　ホルダー
１５　支持ピン
１６　戻しバネ
１７　戻しバネ
１８　受け側固定治具
１９　受け側支持ピン
２０　凹状の板状治具受け部
２１　従来の板状治具
２２　従来の隙間
２３　セパレーター等絶縁体
【図１】
2004127860.tif 000003
【図２】
2004127860.tif 000004
【図３】
2004127860.tif 000005
【図４】
2004127860.tif 000006
【図５】
2004127860.tif 000007